(57)【要約】【課題】本発明は、山留め用プレキャスト親杭に関し、従来の山留め用プレキャスト親杭の製作コストが高騰していることが課題であって、それを解決することである。【解決手段】山留め用の親杭１が、プレキャストコンクリート製であって、その躯体の断面形状が、矩形状であるとともにその側面の両端にＬ字形鋼材２が固着され、該Ｌ字形鋼材の片側平板部が前記躯体の側面から横に突設されて横矢板３の係止部２ａになっている山留め用プレキャスト親杭１とするものである。【選択図】図１
2010248851.tif 000002
【特許請求の範囲】
【請求項１】
山留め用の親杭が、工場若しくは現場のサイトにおいて、横矢板の端部を遊嵌させる凹部若しくは係止させる係止部を躯体の両脇に形成した型枠にコンクリートを打設して形成したこと、
を特徴とする山留め用プレキャスト親杭の形成方法。
【請求項２】
係止部は、片方の平板部の外側面を型枠の中に配設される鉄筋の一部に固着されるとともに、他方の平板部を前記型枠の外側に張り出させれたＬ字形鋼材の、前記他方の平板部の内側面であること、
を特徴とする請求項１に記載の山留め用プレキャスト親杭の形成方法。
【請求項３】
横矢板の端部を遊嵌させる凹部を形成する場合に、地山側となる躯体の下部の外周面は、円筒の樹脂管を略半分に分割した半円形樹脂型枠で形成されていること、
を特徴とする請求項１に記載の山留め用プレキャスト親杭の形成方法。
【請求項４】
プレキャストコンクリート製であって、その躯体の断面形状が、矩形状であるとともにその側面の両端にＬ字形鋼材が固着され、該Ｌ字形鋼材の片側平板部が前記躯体の側面から横に突設されて横矢板の係止部になっていること、
を特徴とする山留め用プレキャスト親杭。
【請求項５】
プレキャストコンクリート製であって、その躯体の断面形状が、略Ｔ字形であるとともに根切り側の横矢板受け部がＴ字の首部であって、そこから地山側の端面に向かって前記躯体の幅が広くなるようにテーパ状に形成されてなること、
を特徴とする山留め用プレキャスト親杭。
【請求項６】
プレキャストコンクリート製であって、その躯体の断面形状が、中心部から根切り側では横矢板の端部を遊嵌させる凹部を有したＴ字形で、中心部から地山側では前記凹部の片側壁面を形成する半円形の端部にして形成されていること、
を特徴とする山留め用プレキャスト親杭。
【発明の詳細な説明】
【技術分野】
【０００１】
本発明は、地下躯体を構築する際の、地盤の崩落を防ぐ山留め用の親杭とその形成方法に関するものである。
【背景技術】
【０００２】
従来、山留め用の親杭は、Ｈ形鋼が使用され、図５に示すように、従来例１として地盤に所定の間隔で前記Ｈ形鋼２１を打ち込み、掘削をしながら両Ｈ形鋼２１，２１間に木製等の横矢板２２をはめ込んで、掘削の進捗に従って腹起こしに支保工としての切り梁を架設していくものである。また、従来例２として特許文献１に記載のように、鉄骨埋め込み形ハーフプレキャストコンクリート部材であって、図６に示すように、前記鉄骨２３ａを親杭とし前記プレキャストコンクリート部材２３ｂを横矢板とする外壁単位パネル２３を構築し、これを掘削した溝に建込みして順次連結して、山留めとするものが知られている。
【先行技術文献】
【特許文献】
【０００３】
【特許文献１】特開平０９−２６８５８３号公報
【発明の概要】
【発明が解決しようとする課題】
【０００４】
しかし、従来の親杭は、いずれもＨ形鋼を使用するものであり、鋼材の価格高騰の煽りを受けてコストが嵩んでいる。親杭のコスト低減が課題となっている。本発明に係る山留め用プレキャスト親杭とその形成方法は、このような課題を解決するために提案されたものである。
【課題を解決するための手段】
【０００５】
本発明に係る山留め用プレキャスト親杭の形成方法の上記課題を解決して目的を達成するための要旨は、山留め用の親杭が、工場若しくは現場のサイトにおいて、横矢板の端部を遊嵌させる凹部若しくは係止させる係止部を躯体の両脇に形成した型枠にコンクリートを打設して形成したことである。
また、前記係止部は、片方の平板部の外側面を型枠の中に配設される鉄筋の一部に固着されるとともに、他方の平板部を前記型枠の外側に張り出させれたＬ字形鋼材の、前記他方の平板部の内側面であること、；
更に、横矢板の端部を遊嵌させる凹部を形成する場合に、地山側となる躯体の下部の外周面は、円筒の樹脂管を略半分に分割した半円形樹脂型枠で形成されていることを含むものである。
【０００６】
本発明に係る山留め用プレキャスト親杭の形成方法の上記課題を解決して目的を達成するための要旨は、プレキャストコンクリート製であって、その躯体の断面形状が、矩形状であるとともにその側面の両端にＬ字形鋼材が固着され、該Ｌ字形鋼材の片側平板部が前記躯体の前端面に揃えて配設されて横矢板の係止部になっていることである。
また、プレキャストコンクリート製であって、その躯体の断面形状が、略Ｔ字形であるとともに根切り側の横矢板受け部がＴ字の首部であって、そこから地山側の端面に向かって躯体の幅が広くなるようにテーパ状に形成されてなることである。
更に、プレキャストコンクリート製であって、その躯体の断面形状が、中心部から根切り側では横矢板の端部を遊嵌させる凹部を有したＴ字形で、中心部から地山側では前記凹部の片側壁面を形成する半円形の端部にして形成されていることである。
【発明の効果】
【０００７】
本発明の山留め用プレキャスト親杭とその形成方法によれば、親杭をプレキャストコンクリート（以下、ＰＣ）化することで価格が高騰しているＨ形鋼に代わって、コスト低減が図られるとともに、剛性の向上が見込まれる。
また、ＰＣ親杭の断面形状において、略Ｔ字形にしたり片側を半円形状にしたりすることで、無駄なコンクリート量を削減してさらなるコストダウンを図ることができる。
このＰＣ親杭を形成する場合に、現場のサイトで簡易に形成できて、しかも、その職種の変わらない人手で形成できるようになるので、異なる職種の作業員が入り交じって工期も長くなったりせず、作業の段取りが効率良く施工できるようになる。
【図面の簡単な説明】
【０００８】
【図１】本発明に係る山留め用プレキャスト親杭１の、各種断面形状を示す横断面図（Ａ）〜（Ｄ）である。
【図２】同本発明の山留め用プレキャスト親杭１を形成する型枠の断面図である。
【図３】同本発明の山留め用プレキャスト親杭１を形成する型枠の断面図である。
【図４】同本発明の山留め用プレキャスト親杭１の使用状態を示す断面図（Ａ），（Ｂ）である。
【図５】従来例１に係る山留め用親杭の使用状態を示す平断面図（Ａ）と、縦断面図（Ｂ）とである。
【図６】従来例２に係る山留め用親杭の使用状態を示す平断面図（Ａ）と、Ａ−Ａ線に沿った縦断面図（Ｂ）とである。
【発明を実施するための形態】
【０００９】
本発明に係る山留め用プレキャスト親杭は、工場若しくは現場のサイトにて、型枠を形成してＰＣ化するものである。
【実施例１】
【００１０】
本発明のプレキャスト親杭１ａは、図１（Ａ）に示すように、プレキャストコンクリート製であって、根入れの長さが約３ｍ程度であって、その躯体の断面形状が、矩形状、例えば地盤側から根切りへの縦方向に長い長方形であるとともに、その側面の両端にＬ字形鋼材２が一体にして固着され、該Ｌ字形鋼材２の片側平板部が前記躯体の前端面１ｅに略揃えて配設されて横矢板３の係止部２ａになっている。
【００１１】
前記係止部２ａは、図２に示すように、片方の平板部２ｂの外側面を型枠４の中に配設される鉄筋５の一部５ａに固着されるとともに、他方の平板部２ｃを前記型枠４の外側に張り出させれたＬ字形鋼材２の、前記他方の平板部２ｃの内側面である。
【００１２】
また、図１（Ｂ）に示すように、プレキャスト親杭１ｂは、プレキャストコンクリート製であって、その躯体の断面形状が、略Ｔ字形であるとともに根切り側の横矢板３受け部がＴ字の首部であって、そこから地山側の端面に向かって躯体の幅が広くなるようにテーパ状１ｆに形成されてなる。
【００１３】
更に、図１（Ｃ）に示すように、山留め用の親杭１ｃが、工場若しくは現場のサイトにおいて、横矢板３の端部を遊嵌させる凹部１ｇを躯体の両脇に形成した型枠にコンクリートを打設して形成される。
【００１４】
このほか、山留め用のプレキャスト親杭１ｄとして、図１（Ｄ）に示すように、プレキャストコンクリート製であって、その躯体の断面形状が、中心部から根切り側では横矢板の端部を遊嵌させる凹部１ｇを有したＴ字形で、中心部から地山側では前記凹部１ｇの片側壁面を形成する半円形の端部にして形成されているものである。前記横矢板３の端部を遊嵌させる凹部１ｇを形成する場合に、地山側となる躯体の下部の外周面１ｈは、半円形状に形成されているものである。
【００１５】
これは、図３に示すように、建物の建築現場において多用される円筒の樹脂管、例えば、直径φ３５０ｍｍ程度の塩化ビニール管を略半分に分割した半円形樹脂型枠６で、前記半円形状の外周面１ｈが形成される。これにより、型枠７を構成する他の金属製プレート７ａや補強プレート７ｂとともに、半円形樹脂型枠６を転用することができる。また、半円形にするのであるから、矩形状に形成する場合に比べて、使用するコンクリートの量も減らすことができてコスト低減となる。なお、地盤側の躯体を半円形状にできるのは、根切り側の躯体に比べて地盤による土圧が小さいからである。
【００１６】
このような親杭１（１ａ〜１ｄ）をＰＣ化して形成し、図４（Ａ）に示すように、地盤にオーガなどで所要の直径の孔８を掘削し、そこに親杭１をクレーンで吊り上げて建込みする。そして、バケットなどにより地盤を根切りしていきながら、前記親杭１，１間に横矢板３を架設し、腹起こしを横架してそれを切り梁で支持させながら、掘り進めていくものである。
【００１７】
また、図４（Ｂ）に示すように、他の実施例として、ＰＣ化した親杭１を、地下躯体９構築用に片方の型枠として兼用し、コンクリートを打設して一体化させて、合成壁とすることもできる。これにより、地下躯体９の片側型枠を別に作る必要が無くなり、工期の短縮となってコスト低減となる。
【産業上の利用可能性】
【００１８】
本発明の親杭１は、山留め用に限らず擁壁や法面等にも適用することができるものである。
【符号の説明】
【００１９】
１（１ａ〜１ｄ）        山留め用プレキャスト親杭、
１ｅ        前端面、                        １ｆ          テーパ状、
１ｇ        凹部、                          １ｈ          外周面、  
２          Ｌ字形鋼材、                    ２ａ          係止部、
２ｂ        片方の平板部、                  ２ｃ          他方の平板部、
３          横矢板、
４          型枠、
５          鉄筋、                          ５ａ          鉄筋の一部、  
６          半円形樹脂型枠、
７          型枠、                          ７ａ          金属製プレート、
７ｂ        補強プレート、
８          孔、
９          地下躯体、
２１        Ｈ形鋼、
２２        横矢板、
２３        外壁単位パネル、                ２３ａ        鉄骨、
２３ｂ      プレキャストコンクリート部材。
【図１】
2010248851.tif 000003
【図２】
2010248851.tif 000004
【図３】
2010248851.tif 000005
【図４】
2010248851.tif 000006
【図５】
2010248851.tif 000007
【図６】
2010248851.tif 000008